(57)【要約】【課題】簡単な構成で、一般的なマスクと区別できないようにすることができ、薄型にして運搬することができる、鼾音抑制マスクを提供すること。【解決手段】鼾音抑制マスク１０は、人間の口及び鼻を覆うことができる大きさのマスク本体１１と、マスク本体１１より小さく形成された内側シート状体３１とを備えている。内側シート状体３１は、口を覆うことができる大きさであり、かつ鼻を覆わない高さに配置されている。内側シート状体３１の幅方向の両端部は、マスク本体１１に縫製されている。内側シート状体３１の幅方向の長さは、着用時に、マスク本体１１と内側シート状体３１との間に前後方向の空間３３が形成され、その空間３３の上部が鼻孔の下方と対峙するように開口するように設定されている。【選択図】      図３
2019069066.tif 000002
【特許請求の範囲】
【請求項１】
人間の口及び鼻を覆うことができる大きさの第１シート状体と、
前記第１シート状体より上下高さ寸法が小さく形成され、前記口を覆うことができる大きさであり、かつ前記鼻を覆わない高さに配置された第２シート状体と、
を備え、
前記第２シート状体の幅方向の両端部が前記第１シート状体に固定されており、
着用時に、前記第１シート状体と前記第２シート状体との間に前後方向の空間が形成され、かつ前記第１シート状体と前記第２シート状体との間の上部において、前記空間に連通しつつ鼻孔の下方と対峙するように開口する寸法となるように、前記固定された前記第２シート状体の幅方向の長さが設定されていることを特徴とする、鼾音抑制マスク。
【請求項２】
前記第１シート状体は、前記幅方向にみて前記第２シート状体が配置されている範囲において、前記鼻の形状にあわせて前方へ突出した立体形状とされている、請求項１に記載の鼾音抑制マスク。
【請求項３】
前記第２シート状体の幅方向の長さは前記第１シート状体の幅方向の長さよりも短く形成されており、
前記第２シート状体の前記両端部は、前記第１シート状体に対し、前記第１シート状体の両端部よりも前記幅方向にみて中央寄りの位置で固定されている、請求項１又は２に記載の鼾音抑制マスク。
【請求項４】
前記第１シート状体はキルティング生地を有して形成されている、請求項１乃至３のいずれか１項に記載の鼾音抑制マスク。
【発明の詳細な説明】
【技術分野】
【０００１】
本発明は、鼾音を抑制する鼾音抑制マスクに関する。
【背景技術】
【０００２】
睡眠時に鼾をかくことにより、鼾音で周囲の人の睡眠を阻害することがある。また、自身の鼾が迷惑にならないかと気になってしまい熟睡できない人もいる。このような問題を解消すべく、鼾音を検出して鼾を停止させるようにする装置や、鼾音を低減させる装置、器具などが開発されている。
【０００３】
一例として、非通気性のマスクで口を覆いつつ、鼻を覆わないようにし、マスクの内側にマスク着用者が口で噛むかみ板を設けた消音マスクが提案されている（特許文献１）。この消音マスクは、かみ板を口で噛むことにより鼾音が小さくなるというものである。
【先行技術文献】
【特許文献】
【０００４】
【特許文献１】特開昭６１−７９４５６号公報
【発明の概要】
【発明が解決しようとする課題】
【０００５】
しかしながら、上記消音マスクでは、全体が非通気性であることから鼻呼吸を確保するためには鼻を覆うことができず、消音効果は必ずしも高いとはいえない。また、かみ板がマスクから大きく突出することから、人前でマスクを取りだせば、鼾をかくことを悟られてしまい、恥ずかしく思う人がいて使いづらいという場面もあり得る。さらに、かみ板を固定する構造等を考慮すると、薄型にして収納するようなことができず、運搬の観点からも好ましくない。
【０００６】
本発明は、上記事情に鑑みてなされたものであり、簡単な構成で、一般的なマスクと区別できないようにすることができ、薄型にして運搬することができる、鼾音抑制マスクを提供することを目的とする。
【課題を解決するための手段】
【０００７】
上記目的を達成すべく、本発明の鼾音抑制マスクは、
人間の口及び鼻を覆うことができる大きさの第１シート状体と、
前記第１シート状体より上下高さ寸法が小さく形成され、前記口を覆うことができる大きさであり、かつ前記鼻を覆わない高さに配置された第２シート状体と、
を備え、
前記第２シート状体の幅方向の両端部が前記第１シート状体に固定されており、
着用時に、前記第１シート状体と前記第２シート状体との間に前後方向の空間が形成され、かつ前記第１シート状体と前記第２シート状体との間の上部において、前記空間に連通しつつ鼻孔の下方と対峙するように開口する寸法となるように、前記固定された前記第２シート状体の幅方向の長さが設定されていることを特徴とする。
【０００８】
本発明の鼾音抑制マスクによれば、着用者の口は第２シート状体に当たることから口呼吸が困難になり、鼻呼吸へ誘導される。この場合、第１シート状体と第２シート状体との間の上部の開口から両シート状体間の空間を利用することにより、鼻呼吸が口呼吸よりもしやすくなる。その結果、口呼吸による大きな鼾音から鼻呼吸による比較的小さな鼾音に誘導される。また、口呼吸による鼾音が依然として生じていても、口には第２シート状体が当たっており、かつその前には空間をおいて更に第１シート状体があることから、大きな鼾音が外部に漏れ出すことがなく、鼾音はかなり抑制されたものとなる。しかも、以上の機能を第１シート状体に対して第２シート状体を固定するという簡易な構成によって実現することができるし、第１シート状体と第２シート状体との重ね合せ構造であることで薄型にすることができ、一般的なマスクとさほど区別のできないような形状にすることができて運搬性能も高い。
【発明の効果】
【０００９】
本発明によれば、鼾音を抑制することができるのみならず、簡単な構成で、一般的なマスクと区別できないようにすることができる。
【図面の簡単な説明】
【００１０】
【図１】鼾音抑制マスクを後方からみた分解斜視図。
【図２】鼾音抑制マスクの背面図。
【図３】鼾音抑制マスクの着用状態を示す図２のＡ−Ａ線断面図。
【発明を実施するための形態】
【００１１】
以下、本発明を具体化した一実施形態の鼾音抑制マスクについて図面を参照しながら説明する。
【００１２】
図１及び図２に示すように、鼾音抑制マスク１０は、マスク本体１１と、マスク本体１１の両端部に設けられた耳かけ部１２とを有している。なお、マスク本体１１は、第１シート状体に相当する。
【００１３】
マスク本体１１は、全体として、着用者の口及び鼻を含む人間の顔の略下半分を覆うことが可能な大きさを有している。マスク本体１１は、織物よりなる布地である織物生地２１とキルティング生地２２とが重ね合わされて構成されている。マスク本体１１の周縁部に沿って縫製が施されることにより、織物生地２１とキルティング生地２２との両者が一体化されている。ここで、キルティング生地２２は、織物からなる２枚の布地の間に綿、ポリエステル繊維等よりなる中材を挟み込み、升目状等のステッチで縫い押さえた生地である。そのため、マスク本体１１は、３枚の布地が重ね合わされた多層構造を有している。マスク本体１１においては、キルティング生地２２が内側（着用者側）となり、織物生地２１が外側となっている。
【００１４】
マスク本体１１は幅方向において対称をなし、第１マスク体２３と第２マスク体２４とで一体的に形成されている。第１マスク体２３と第２マスク体２４とは、マスク本体１１の幅方向中央部において上下方向に延びる中央縫製部２５で一体的に縫い合わされている。一体化されてマスク本体１１とされた状態では、中央縫製部２５は外側に向けた弧状をなしており、当該中央縫製部２５から第１マスク体２３及び第２マスク体２４がそれぞれ斜め後方へ広がっている。そのため、マスク本体１１は、鼻の形状にあわせて前方へ突出した立体形状が予め形成されている。
【００１５】
鼾音抑制マスク１０が人間に着用された状態では、図３に示すように、マスク本体１１の幅方向中央部の上端部、すなわち中央縫製部２５の上端部の内側が鼻背部に当たって鼻が覆われるともに、下端部によって顎の先が包み込まれる。また、中央縫製部２５の上端から左右に延びて中央縫製部２５の下端に至るマスク本体１１の周縁部が頬に当たり、マスク本体１１を顔にフィットする。これにより、マスク本体１１によって着用者の口及び鼻を含む顔の略下半分が覆われる。
【００１６】
図１及び図２に戻り、耳かけ部１２は帯状のゴム紐によって形成され、マスク本体１１の両端部において、それぞれの上端部に耳かけ部１２の一端が、下端部に耳かけ部１２の他端が取り付けられている。そのため、マスク本体１１の両端部外方には、耳かけ部１２により、着用者の耳に引っ掛けることが可能な環状部分が形成されている。この環状部分を利用して耳かけ部１２を着用者の耳に引っ掛けることで、マスク本体１１によって着用者の顔の略下半分が覆われた状態が保持される。耳かけ部１２としては、帯状のゴム紐以外にも、例えば断面円形状をなすゴム紐を用いたり、伸縮性を有する不織布等の素材を用いたりすることが可能である。また、耳かけ部１２の長さを調節するための調節部材を設けてもよい。
【００１７】
鼾音抑制マスク１０は、以上の基本構成に加え、鼾音を抑制するのに好適な構成として、内側シート状体３１がマスク本体１１の内側（着用者側）に設けられ、それにより、二重のシート構造を有する構成が採用されている。内側シート状体３１は、第２シート状体に相当する。
【００１８】
内側シート状体３１は、人間の口を覆うことができる大きさを備えた矩形状に形成されている。内側シート状体３１はマスク本体１１と同じ布地構造、すなわち、織物生地２１とキルティング生地２２とが重ね合わされた多層構造を有している。内側シート状体３１の周縁部には、パイピングによる端縁処理が施され、織物生地２１とキルティング生地２２とが一体化されている。内側シート状体３１は、織物生地２１をマスク本体１１の側に、キルティング生地２２を着用者側に向け、かつその長辺方向がマスク本体１１の幅方向に沿うようにした状態で、マスク本体１１に取り付けられている。内側シート状体３１の幅方向の長さ（長辺部の長さ）Ｌ２及び上下高さＨ２は、マスク本体１１の幅方向の長さＬ１及び上下高さＨ１よりも短く形成されている。
【００１９】
なお、ここでいうマスク本体１１の幅方向の長さＬ１とは、当該マスク本体１１をその内側及び外側のいずれかから全体をみて、最も幅方向の長さが短くなっている部分の長さのことであり、この実施の形態では、マスク本体１１の下端における長さがそれにあたる（図２参照）。また、マスク本体１１の上下高さＨ１とは、当該マスク本体１１をその内側及び外側のいずれかから全体をみて、上下高さが最も短くなっている部分の長さのことであり、この実施の形態では、マスク本体１１の左右両端における長さがそれにあたる（図２参照）。
【００２０】
内側シート状体３１は、鼾音抑制マスク１０の着用時において、当該内側シート状体３１によって鼻が覆われない高さ位置、すなわち、図３に示すように、上端縁が鼻の下方に配置される位置に配置されている。その配置位置において、内側シート状体３１は、図１及び図２に示すように、両端部が、マスク本体１１に対し、当該マスク本体１１の両端部よりも幅方向中央寄りの位置で縫製されている。マスク本体１１に対して縫製された両端縫製部３２同士の間の長さＬ３は、内側シート状体３１の幅方向の長さＬ２よりも短い位置にある。そのため、内側シート状体３１は、幅方向中央部において、マスク本体１１の側へ折れ曲がった形状をなしている。
【００２１】
内側シート状体３１の幅方向の長さＬ２や両端縫製部３２の位置は、鼾音抑制マスク１０の着用時において、図３に示すように、立体形状をなすマスク本体１１と内側シート状体３１との間に空間３３が形成されるように設定されている。空間３３の上部には、鼻孔の下方と連通しつつこれと対峙するように開口する上部開口部３４を有しており、下部においても開口する下部開口部３５を有している。マスク本体１１が鼻の形状にあわせて前方に突出する立体形状を有しているため、確実に空間３３が形成されるとともに、空間３３の上部開口部３４では、鼻孔の下方となる幅方向の中央部に最も広い領域が確保されている。
【００２２】
以上の構成を有する鼾音抑制マスク１０によれば、以下に示す作用効果を得ることができる。
【００２３】
耳かけ部１２を着用者の左右の耳に引っ掛けて鼾音抑制マスク１０を着用すると、マスク本体１１によって着用者の口及び鼻を含む顔の略下半分が覆われる。それとともに、着用者の口が内側シート状体３１に当たる。その当接により、着用者は口呼吸が困難になり、鼻呼吸へ誘導される。この場合に、マスク本体１１と内側シート状体３１との間に形成された空間３３の上部開口部３４が鼻孔の下方と連通しており、空間３３を鼻呼吸のために利用可能となり、口呼吸よりも鼻呼吸がしやすい状態となっている。その結果、口呼吸による大きな鼾音から鼻呼吸による比較的小さな鼾音に誘導され、鼾音を抑制することができる。
【００２４】
内側シート状体３１が口に当たる場合に、当該内側シート状体３１は、幅方向中央部でマスク本体１１の側へ折れ曲がった形状をなしてマスク本体１１に取り付けられているため、内側シート状体３１が口に当接する場合の当接の程度は軽い。そのため、内側シート状体３１が着用者の口に当接した場合に、口に当たることの違和感を抱かせることなく、着用感を向上させることができる。
【００２５】
また、口呼吸による鼾音が依然として生じていても、マスク本体１１によって口が覆われるとともに、その口には内側シート状体３１が当たっており、かつその内側シート状体３１の前には空間３３をおいて更にマスク本体１１が存在している。そのため、大きな鼾音が外部に漏れ出すことがなく、鼾音はかなり抑制されたものとなる。
【００２６】
しかも、以上の機能をマスク本体１１に対して内側シート状体３１を縫い付けるという簡易な構成によって実現することができる。マスク本体１１と内側シート状体３１との重ね合せ構造であることで薄型にすることができ、一般的なマスクとさほど区別のできないような形状にすることができて運搬性能も高い。
【００２７】
マスク本体１１は、鼻の形状のあわせて前方に突出した立体形状とされているため、鼾音抑制マスク１０の着用時に、内側シート状体３１との間の空間３３が確実に形成される。そのため、口呼吸から鼻呼吸への誘導による鼾音抑制効果も確実なものとなる。また、空間３３の上部開口部３４では、鼻孔の下方となる幅方向の中央部に最も広い領域が確保される。そのため、空間３３を利用した鼻呼吸への誘導を確実に行える。
【００２８】
内側シート状体３１の両端部は、マスク本体１１に対し、当該マスク本体１１の両端部よりも幅方向の中央寄りの位置で縫製されている。この点、内側シート状体３１の幅方向の長さＬ２を、両端の縫製部分がマスク本体１１の両端部に設けられる程度まで長くすると、マスク本体１１の両端部が分厚くなって柔軟性が損なわれてしまい、着用時における頬へのフィット性が低下する。その結果、マスク本体１１の両端部に隙間が形成されて、その隙間を通じて鼾音が外に漏れやすくなるという問題が生じ得る。また、このような柔軟性の低下は、着用者に対して着用時の違和感を抱かせる原因にもなる。
【００２９】
この点、内側シート状体３１の両端の縫製部分を中央寄りの位置とすることで、マスク本体１１の顔へのフィット性を高めて隙間が形成されることを抑制し、鼾音が外部に漏れ出すことをなくせる。また、マスク本体１１の両端部での柔軟性が損なわれることがなく、着用時に違和感が生じることを抑制できる。
【００３０】
マスク本体１１及び内側シート状体３１は、いずれもキルティング生地２２を有する布構造によって形成されている。キルティング生地２２は２枚の布地間に綿やポリエステル繊維等の中材が設けられた多層構造を有する素材であり、そのようなキルティング生地２２を口に当て、さらに口及び鼻を覆っているため、単層の布地を用いる場合と比較して鼾音に対する防音効果を高めることができる。
【００３１】
なお、鼾音抑制マスク１０としては、上記実施形態の構成だけでなく、例えば次のような構成を採用してもよい。
【００３２】
（１）上記実施の形態では、マスク本体１１及び内側シート状体３１は、織物生地２１とキルティング生地２２とが重ね合わされて、布地が３枚重ね構造のものを採用した。これに代えて、マスク本体１１及び内側シート状体３１を、キルティング生地２２を使用しないで織物生地２１のみの布地１枚又は複数枚重ね構造としたり、キルティング生地２２のみの布地２枚重ね構造としたりしてもよい。
【００３３】
（２）上記実施の形態では、マスク本体１１及び内側シート状体３１は、織物生地２１及びキルティング生地２２よりなる同じ布地構造のもので形成されているが、互いに異なる布地構造ものや布地以外の素材を用いて形成されるようにしてもよい。布以外の素材を用いる場合には、例えば、ポリウレタン等の合成樹脂よりなるシート材を用いることができる。マスク本体１１と内側シート状体３１との両者を合成樹脂よりなるシート材によって形成する場合は、マスク本体１１に対して内側シート状体３１を熱溶着によって固定するようにしてもよい。
【００３４】
（３）上記実施の形態では、キルティング生地２２を着用者側に向けた状態で内側シート状体３１がマスク本体１１に取り付けられている。これとは逆に、織物生地２１を着用者側に向けた状態で、マスク本体１１に内側シート状体３１を取り付けてもよい。この構成によれば、鼾音抑制マスク１０を着用した際に、キルティング生地２２の側ではなく、織物生地２１の側が着用者の口に当たる。キルティング生地２２は、生地間に挟み込まれた中材の存在により、ステッチ間が盛り上がった状態となっており、それが口にあたることで着用者に違和感を抱かせるおそれがある。その点、織物生地２１の側が口に当たるように内側シート状体３１を取り付けることで、内側シート状体３１が口に当たった時に良好な感触を得ることができる。特に、織物生地２１としてガーゼ生地を用いた場合には、当該生地が口に当たった時に軟らかな感触が得られる点で好ましい。
【００３５】
（４）上記実施の形態では、内側シート状体３１は、その幅方向中央部において、マスク本体１１の側へ折れ曲がった形状をなして当該マスク本体１１に取り付けられているが、そのような折れ曲がりのない状態で取り付けるようにしてもよい。
【００３６】
（５）上記実施の形態では、マスク本体１１は、鼻の形状のあわせて前方に突出した立体形状とされているが、そのような立体形状に予め形成されるのではなく、平面状をなすシート状をなすように形成し、着用によって立体形状が形成されるようにしてもよい。着用によって立体形状が形成されることによっても、マスク本体１１と内側シート状体３１との間に空間３３を形成することが可能である。
【００３７】
（６）上記実施の形態では、内側シート状体３１の両端部は、マスク本体１１に対し、当該マスク本体１１の両端部よりも幅方向の中央寄りの位置で縫製されている。これに代えて、内側シート状体３１の幅方向の長さＬ２をより長く形成し、その両端部をマスク本体１１の両端寄りの位置で縫製して当該内側シート状体３１をマスク本体１１に取り付けるようにしてもよい。この場合、前述したように、マスク本体１１の両端部に縫製部分が形成されるため、当該両端部の柔軟性が損なわれ、隙間や着用時の違和感を生じさせる原因となり得る。それでも、内側シート状体３１が設けられていない構成と比較すれば、当該内側シート状体３１の存在により、口呼吸から鼻呼吸への誘導による鼾音抑制の効果は得られるし、簡単な構成で、一般的なマスクと区別できないようにするという点で好適である。
【符号の説明】
【００３８】
１０…鼾音抑制マスク、１１…マスク本体（第１シート状体）、３１…内側シート状体（第２シート状体）、３３…空間。
【図１】
2019069066.tif 000003
【図２】
2019069066.tif 000004
【図３】
2019069066.tif 000005